(57)【要約】      （修正有）【課題】表面が平滑でツルツルした舗装材を滑らなくすると共に、透水性能を大幅に向上させた歩道用ブロック。【解決手段】表面が平滑で縦筋の溝５を有するブロックのその両端に凹凸の嵌合３、４を構成し、施工時に嵌合部を半分ずらして施工する事で、歩道面全体を平滑にすると共に、縦筋の溝の両小口１０を鋭角としてノンスリップ効果を持たせ、端部の壷形の溝５の深さを浅くして、中央部分の壷形の溝５を深く大きくする事で路床材としての強度をバランスさせ、凸凹のない側のブロックの突合せ部分を大きくとり、目地幅を規定する空間を持つ成型品を挿入する事で、目詰まりを少なくして、透水性能を大幅に向上させた路床材ブロック。【選択図】図１
2005146685.tif 000002
【特許請求の範囲】
【請求項１】
表面が平滑な路床材ブロックにおいて、その表面に適宜間隔を置いて壷形の溝が形成され、溝と表面が接する両方の小口部分が逆テーパーでエッジとなっていることを特徴とする路床材ブロック。
【請求項２】
上記表面の壷形溝の小口寸法は、2ミリから10ミリであると共に、その深さは3ミリから20ミリであることを特徴とする、請求項1に記載の路床材ブロック。
【請求項３】
上記請求項２の壷形の溝は、１ブロック当り３箇所から２０箇所配置するとともに、両サイドの方に向かって壷形の溝が浅くなっていることを特徴とする請求項1、２に記載の路床材ブロック。
【請求項４】
上記溝と溝との間にある表面の平滑面の寸法は、５ミリから５0ミリとしたことを特徴とする上記請求項1、２、３に記載の路床材ブロック。
【請求項５】
上記路床材ブロックの隣接面となる一方の側壁には、隣接する路床材ブロック本体を互いに嵌合するための突条が形成されていると共に、他方の側壁には、上記突条と嵌合する嵌合溝が形成されていることを、特徴とする上記請求項1、２，３，４に記載の路床材ブロック。
【請求項６】
上記路床材ブロックの突条または嵌合溝が形成されていない側壁に、目地幅を規定する厚み５ミリから２０ミリのプラスチック等の成型品を施工時に配置したことを特徴とする上記請求項1、２、３、４，５に記載の路床材ブロック。
【発明の詳細な説明】
【技術分野】
【０００１】
本発明は、一般の歩道に使用される路床材ブロックの製品をノンスリップにする構造と、併せて表層に壷形の溝とブロック間に目地を構成することで、排水性を大幅に改善することなどの機能に関するものである。
【背景技術】
【０００２】
歩道などの人の通行する場所においては、その表面を平滑にして輝きを付与すること、例えば磨いた石とかテラゾータイル、つるつるしたタイル、表面が平滑で磨かれたコンクリート等は、それぞれ非常にきれいなものであるが、屋外で使用するには、滑りが起こることから、使いきれなかった。特に降雨時のすべりは大きな問題であり、ほとんど使用されなかった。
【０００３】
従って、従来は石の表面をショットブラストで荒らしたり、タイルやコンクリートの表面を色々な方法で粗面にしたり、筋をいれたりして使用されていた。
【０００４】
又、滑り止めの機能を発揮するエッジ付きの壷形の溝と、側壁に目地幅を規定する、プラスチックス等の成型品で目地を形成することで、降雨時には排水性を大幅に向上させることが出来る。
【０００５】
路床材ブロックの代表的な製品であるコンクリート平板は３００ミリ角と平滑部が広く面積当たりの目地もそれ程大きくないことから、降雨時には雨水の滞留がある。
【０００６】
インターロッキングブロックなどもその表面は平滑であるが、個々のブロック間での目地の幅はそれほど大きくなく、目地砂も経年変化で細粒化して透水機能がなくなることから、降雨時に、歩道表層に厚い水膜が出来て、更には水溜まりとなっていた。
【０００７】
〔特許文献1〕、に記載の透水性平板にあるように空隙を造りながら小石をセメント、樹脂等で固め、その上面から小石の径のほぼ半分を削って、逆テーパーのエッジを作り、滑り止め効果を狙った特許があるが、削って、磨く事でコストが大幅にアップしていた。
【０００８】
〔特許文献２〕に記載の舗設用ブロック及びその施工方法にあるように、ブロックの両側面に突状と嵌合溝が形成されていて、施工時に２分の１ブロックをずらす事で、隣接するブロック同士が相互に一体化され、全体として平滑な舗装面を形成することができる。
【特許文献１】実公平4−37921号広報
【特許文献２】国際公開番号WO00/61868
【発明の開示】
【発明が解決しようとする課題】
【０００９】
解決しようとする問題点は、街路、マンション等の歩道部分並びに住宅周りの歩行部などは、最も景観に配慮したい場所であるが、降雨時には路面が濡れて、歩行者が滑る恐れがあることから、表面が平滑で、艶があって汚れにくく、ツルツルした景観上きれいな路床材が使えなかった。
【００１０】
従って、現状は表面を荒らしたものとか、筋をいれたものなど、概ね平滑であるが、艶が無くゴツゴツしたものになっていて、汚れやすく、見栄えも今ひとつ良くないものとなっていた。
【００１１】
透水性を上げる方法として、エッジ付の壷形の溝５をブロック表面の全面に配置することと、ブロック間の突合せ部分の目地を大きく取り、透水性のあるプラスチック等の成型品をいれる事で目的を達成した。
【００１２】
エッジ付の壷形の溝の深さをブロックの端の方で浅くしたのは、ブロックの端部に一番力がかかり、どうしても欠けやすくなる、それを溝の深さを変えることで解決した。
【課題を解決するための手段】
【００１３】
本発明は  表面が平滑な路床材ブロックにおいて、その表面に適宜間隔を置いて、表面と接する両方のエッジ部分が逆テーパーとなっている特殊な壷形の溝を形成することに着目した。
【００１４】
上記請求項２の壷形の溝は、１ブロック当り３箇所から２０箇所配置するとともに、端部が弱く欠けが発生しやすいので、両サイドの端部に向かって壷形の溝を浅くした。
【００１５】
溝の数は、小さい100ミリ角のブロックの場合には、3箇所ぐらいとし、溝の長さが200ミリでその対辺が500ミリぐらいになる大きなブロックの場合には、最大20箇所ぐらいの構成となる。
【００１６】
上記表面と接する溝の小口１０の寸法は、2ミリから10ミリであると共に、その深さは3ミリから20ミリである大きな壷形の溝を持っている路床材ブロックとすることで、夕立のような、瞬時に大雨が降った時に水を貯める容器となるとともに、排水の溝にもなる。
【００１７】
しかも、表面と接する溝の角の形状を鋭角なエッジ６にすることで床が濡れていて、その上を歩いても、靴の裏の物質がごく僅かに、図１の溝５に入り、エッジ６で滑りが抑制されるのでほとんどスリップすることがないのである。
【００１８】
この溝の小口の寸法を2ミリからとしたのは、これ以下だとノンスリップ効果が出にくいことと、10ミリ以上になると、ハイヒールのかかとがはまる恐れがあるからである。
【００１９】
壷形の溝５の深さを3ミリ以上としたのは、大幅に透水性能を上げるためには、これ以下の寸法ではあまり効果がない、又20ミリ以内としたのは、これ以上となると、ブロックの強度に問題が出てくるからである。
【００２０】
上記路床材ブロックの隣接面となる一方の側壁には、隣接する路床材ブロック本体を互いに嵌合するための突条が形成されていると共に、他方の側壁には隣接する路床材ブロック本体の上記突条と嵌合する嵌合溝が形成されている。
【００２１】
隣接する路床材ブロック本体１を互いに嵌合するための突条３と嵌合溝４は、路床材ブロック本体１を半分ズラして施工することで、面全体が一体となった平滑面となる。
【００２２】
このことで降雨時に、地盤が緩んだ状態で路床材ブロックに、たとえ大きな加重がかかっても浮動沈下することが無く、平滑面が維持できるのである。
【００２３】
上記路床材ブロックの突条または嵌合溝が形成されていない側壁に、目地幅を規定する厚みが５ミリから２０ミリの排水性の良いプラスチックス等の成型品９を、施工時に配置することで、大雨が降った時の瞬時の排水の溝となり、歩道面に水溜りができにくくなる。
また、大幅な透水性能を要求しない場合は図２の突起７を構成してもよい。
【００２４】
５ミリより小さいと、透水性能が落ちるし、２0ミリより大きいとハイヒールのかかとは入るが、更に靴でも引っかかるので好ましくない。このような大き目の目地の場合は、歩道の中央でなく、側帯に配置するのが良い。
【００２５】
本考案では、路床材ブロックの下部に施工される路盤に雨水が短時間に流されることから、砕石、砂等を突き固めて施工される路盤の上に不織布等を敷いて、流水が路盤に面状に吸水されるようにすると、路盤を痛める流水溝ができなくなる。
【００２６】
このような路床材ブロックの生産は、コンクリートで製作する場合は、コンクリート平板とか、インターロッキングブロックなどのように、歩道面を上か下にしてプレス成型するのではなく、コンクリートブロックの製法の様に、歩道面の上下となる面が横になる形で成型する、従って、特殊な壷形のエッジ付きの溝５が縦に抜けるので、簡単に構成出来ることとなり好都合である。
【００２７】
又、レンガブロックとして生産する場合は、通常の押出機で陶土を押し出し、乾燥、焼成する事でたやすく製造する事が出来る。
【発明の効果】
【００２８】
隣接する路床材ブロック本体を互いに嵌合するための突条３と嵌合溝４は、路床材ブロック本体を半分ズラして施工することで、面全体が一体となり平滑面となるので、歩道面がいつまでも平滑で、たびたびの雨で路盤が緩んでも、歩道面がガタガタにならないで、極めて歩きやすい歩道となるのである。
【００２９】
平滑面となる表面の幅は、5ミリから50ミリとしたのは、5ミリ以下だと平滑面としての良さが発揮できないし、50ミリ以上の広幅になるとスリップの恐れがあるからである。
【００３０】
又、特殊な壷形のエッジ付きの溝５のエッジ６は、歩行時に靴の裏の物質がごく僅かに、図１の溝５に入り、エッジ６で滑りが抑制されるのである。レンガブロックなど焼き物で構成するとエッジ６がシャープに出てより効果的である。
【００３１】
コンクリートの場合もエッジを立てる事ができるが、耐久性で見劣りする。この場合、平滑面にセラミックまたは、樹脂塗装すると良い。
【００３２】
こうする事でコンクリート製の欠点である耐久性がカバーできると共に変退色の少ない製品となる。
【発明を実施するための最良の形態】
【００３３】
表面が平滑な路床材ブロックの製品において、その表面となる寸法を１５０ミリ角とし、厚みを８０ミリとする。２００ミリ角としても良いが、表面の筋の長さが長くなって、横滑りの可能性があるので１５０ミリぐらいがころあいである。
【００３４】
又、厚みも６０ミリでも良いが、長期の耐久性を考えると８０ミリくらいが良い。
【００３５】
更に、そのブロック表面２の全体に亘り平滑で輝きのある表面を形成し、さらに適宜１５〜２０ミリの間隔を置いて壷形の溝５が形成されている。
【００３６】
溝５の小口１０の幅は５ミリで、更に溝５の小口のエッジが鋭角となっていて、溝５の数は６個で、その深さはブロックの端部は５ミリとし、ブロックのほぼ中央は１５ミリとする。
【００３７】
そして、コンクリートで製作する場合には、その厚みとなる部分はそのまま中実でいいが、陶土を使って焼き物のブロックとする場合には、その肉厚のほぼ中央に、３０ミリの大きな穴８を３個開けると、成型、乾燥、焼成も早くできて好都合である。
【００３８】
ブロックの溝の長さ方向の両端には、お互いがうまく嵌合する凹凸をつける。その寸法は、１５ミリの半円位が全体としてのバランスが良い。
【００３９】
１５０ミリ角のこのブロックを舗道に施工する場合には、一辺のほぼ半分である７５ミリずらして嵌合させながら施工する事で、舗道面全体がほぼフラットになるのである。
【００４０】
左右に凹凸のない側面の隙間に図４の９のようにポリオレフィンのフィラメントで直径１ミリぐらいのものを押出機で押し出し、隙間を大きく構成させた状態で、フィラメント同士が接触した部分を熱接着させながら、１０ミリぐらいの厚みに固めた成型品作るのである。
【００４１】
この成型品を施工時にブロック間に挿入するのである。こうする事で隙間に砂が入っても落ち葉が入っても透水性能の落ちない隙間となる。
【実施例１】
【００４２】
図面において、図1は、本発明路床材ブロック製品の斜視図である。
湿潤の陶土を押出機で押し出す、この場合施工時に嵌合させる凹凸３，４を左右に構成させ、その表面2には、壷形の溝５を6個構成する。
【００４３】
上記表面２の6本の筋条の平滑面の各幅の寸法は15〜20ミリとなっていて、溝５の小口の幅寸法は、５ミリであると共に、その端部はエッジ6となっている、その深さは両端から５ミリ、1０ミリと深くなっていて、ほぼ中央の2個は１５ミリである壷形の溝５を持っている。
【００４４】
80ミリの厚みの断面には、30ミリ丸の穴3個をバランス良く構成する事で、湿潤の陶土を押出機で押し出した成型物の乾燥が容易であるし、又、焼成時にも歪の少ない製品となり、軽量となる事から輸送費も軽減できる。
【実施例２】
【００４５】
図面において、図２も、本発明路床材ブロックの製品の部分斜視図である。コンクリートをブロックマシーンで製造するのと同じ要領でプレス成型するのである。この場合中抜きの穴でなく隣のブロックとの隙間を規制する、突起７を一気に構成することも出来る。
【００４６】
この場合でも施工時に嵌合させる凹凸３，４を左右に構成させ、その表面には、壷形の溝５を6個構成する。表面２の筋条の平滑面6本の各幅の寸法は15〜20ミリとなっていて、溝５の小口の幅寸法は、５ミリであると共に、その端部はエッジ６となっている、その深さは両端から５ミリ、1０ミリと深くなっていて、ほぼ中央の2個は１５ミリである壷形の溝５を持っている。
【図面の簡単な説明】
【００４７】
【図１】路床材ブロックの製品斜視図である。
【図２】路床材ブロックの製品の部分斜視図である。
【図３】路床材ブロックの施工の上面図である。
【図４】スペーサーの斜視図である。
【符号の説明】
【００４８】
１  ブロック本体
２  ブロック表面
３  突部
４  ポコ部
５  壷形溝
６  エッジ
７  突起
８  穴
９  スペーサー
10  小口
【図１】
2005146685.tif 000003
【図２】
2005146685.tif 000004
【図３】
2005146685.tif 000005
【図４】
2005146685.tif 000006